(57)【要約】【課題】遊技機設置スペースを独立した島構造としつつ、従来方式の補給・回収装置を利用可能とし、遊技球循環システムを構築する際の価格上昇を押さえる。【解決手段】横方向の長さが一台の遊技機の設置スペースの範囲内に設置可能な長さに形成され高さ調節可能な樋部材を複数連続して、複数台の遊技機に遊技球を供給可能な単一の補給路２と、複数台の遊技機から排出される遊技球を回収可能な単一の回収路３を形成する。【選択図】図１
2013180159.tif 000002
【特許請求の範囲】
【請求項１】
遊技機の上方に横方向に配置され遊技機に遊技球を供給するための補給樋構造であって、
横方向の長さが一台の遊技機の設置スペースの範囲内に設置可能な長さに形成されている樋部材と、
前記樋部材の左右両端部の高さを違えた状態で支持可能な複数の支持部を有し、前記樋部材を支持させる支持部の位置を変更することにより樋部材の設置高さを調節可能な高さ調節機構と、を備えていることを特徴とする補給樋構造。
【請求項２】
遊技機の下方に横方向に配置され遊技機から排出される遊技球を回収するための回収樋構造であって、
横方向の長さが一台の遊技機の設置スペースの範囲内に設置可能な長さに形成されている樋部材と、
前記樋部材の左右両端部の高さを違えた状態で支持可能な複数の支持部を有し、前記樋部材を支持させる支持部の位置を変更することにより樋部材の設置高さを調節可能な高さ調節機構と、を備えていることを特徴とする回収樋構造。
【請求項３】
請求項１記載の補給樋構造及び請求項２記載の回収樋構造を用いた遊技球循環システムであって、
前記補給樋構造を構成する一の樋部材の端部と隣接する樋部材の端部の高さ位置を合わせ、複数の樋部材を連続させて形成した、複数台の遊技機に遊技球を供給可能な単一の補給路と、
前記回収樋構造を構成する一の樋部材の端部と隣接する樋部材の端部の高さ位置を合わせ、複数の樋部材を連続させて形成した、複数台の遊技機から排出される遊技球を回収可能な単一の回収路と、
前記回収路により回収された遊技球を貯留して前記補給路に移送する単一の揚送機構と、を少なくとも備えていることを特徴とする遊技球循環システム。
【発明の詳細な説明】
【技術分野】
【０００１】
本発明は、遊技機を設置する島設備に関する。
【背景技術】
【０００２】
遊技店に設置される遊技機は、島といわれる設置スペースに並列配備されている。各遊技機には遊技球の受入口と排出口が形成され、遊技球は遊技機の受入口より受け入れられ排出口から排出され、各遊技機の排出口から排出された遊技球は、回収樋を介して島設備の下部に配置される下部タンクに集められる。また、島設備には、下部タンクの遊技球を揚送する揚送装置が設けられており、揚送装置により揚送された遊技球は、補給樋を介して遊技機や球貸し機などの台間サンドに供給されるようになっている。このような球循環システムを有する島設備においては、補給樋や回収樋は一つの島設備において複数の遊技機に共通して使用するため、横方向に連続するものとなっていた（特許文献１参照）。そのため、島設備の配置や設置する遊技機台数の増減を行う場合には、改修工事が大がかりなものになってしまうという問題点があった。
【０００３】
かかる問題を解決すべく、各遊技機にそれぞれ単独の補給装置を設けて、島設備の配置変更や遊技機の移動、増減を容易に行うことができるようにした独立還元島と呼ばれるものが考案されている。
【先行技術文献】
【特許文献】
【０００４】
【特許文献２】特開２００９−１１９１７０公報（図１）
【発明の概要】
【発明が解決しようとする課題】
【０００５】
しかし、各遊技機ごとに揚送研磨システムを設置することになると、たとえ単独島用の小型の装置を用いるとしてもコストが嵩むため、現行の島設備から独立還元島への変更は容易に行えないというのが実情である。
そこで本願発明は、遊技機設置スペースを独立した島構造としつつ、従来方式の補給・回収装置を利用可能とし、遊技球循環システムを構築する際の価格上昇を押さえることを目的とする。
【課題を解決するための手段】
【０００６】
上記課題を解決するため、請求項に記載の発明は以下のような構成を有する。
なお、括弧内の符号は、発明の実施の形態において用いた符号を示し、本発明の技術的範囲を限定するものではない。
（請求項１）
請求項１記載の発明は、遊技機(100)の上方に横方向に配置され遊技機(100)に遊技球を供給するための補給樋構造(10)であって、横方向の長さが一台の遊技機(100)の設置スペースの範囲内に設置可能な長さに形成されている樋部材（補給樋11）と、前記樋部材(11)の左右両端部の高さを違えた状態で支持可能な複数の支持部（孔15a,16a、支持棒17）を有し、前記樋部材(11)を支持させる支持部(15a,16a,17)の位置を変更することにより樋部材(11)の設置高さを調節可能な高さ調節機構(18)と、を備えていることを特徴とする。
【０００７】
本発明は、パチンコ機などの、遊技球を使用して遊技を行う遊技機に用いられる。「遊技機の設置スペース」には、遊技機(100)とともに、遊技球を貸し出す台間サンド(200)を設置可能であってもよい。すなわち、補給樋構造(10)は、台間サンド(200)にも遊技球を供給可能であってもよい。
ここで、「樋部材」は、遊技球が通過する通路となるものであり、「支持部」は、樋部材(11)の高さ方向の取り付け位置を調節可能なものである。支持部は樋部材(11)に設けられていてもよいし、樋部材(11)を島設備(1)に固定するための支持部材(支持枠15,16)に設けられていてもよいし、双方に設けられていてもよい。また、樋部材(11)や支持部材(15,16)とは別部材であって樋部材(11)又は支持部材(15,16)に取り付け可能なものであってもよい（請求項２において同じ）。
【０００８】
本発明に係る補給樋構造(10)を、複数の遊技機が並列配置される島設備に用いる場合には、隣接する遊技機設置スペースの樋部材(11)と連続して遊技球の通路が形成されるように、樋部材(11)の設置高さ位置を調節することができる。
（請求項２）
請求項２記載の発明は、遊技機(100)の下方に横方向に配置され遊技機(100)から排出される遊技球を回収するための回収樋構造(20)であって、横方向の長さが一台の遊技機の設置スペースの範囲内に設置可能な長さに形成されている樋部材（底板21）と、前記樋部材(21)の左右両端部の高さを違えた状態で支持可能な複数の支持部(孔23a、支持棒24)を有し、前記樋部材(21)を支持させる支持部23a,24)の位置を変更することにより樋部材の設置高さを調節可能な高さ調節機構(25)と、を備えていることを特徴とする。
【０００９】
ここで、遊技機(100)から排出される遊技球には、遊技の結果入賞して払い出された賞球であって計数機によりカウントされた遊技球やアウト球が含まれる。
本発明に係る回収樋構造(20)を、単独の遊技機(100)に遊技球の循環機構に用いる場合には、樋部材(21)の設置位置を、複数の遊技機が並列設置される島設備に用いる場合には、隣接する遊技機設置スペースの樋部材(21)と連続して遊技球の通路が形成されるように、樋部材(21)の設置高さ位置を調節することができる。
（請求項３）
請求項３記載の発明は、請求項１記載の補給樋構造(10)及び請求項２記載の回収樋構造(20)を用いた遊技球循環システムであって、前記補給樋構造(10)を構成する一の樋部材(11)の端部と隣接する樋部材(11)の端部の高さ位置を合わせ、複数の樋部材(11)を連続させて形成した、複数台の遊技機(100)に遊技球を供給可能な単一の補給路(2)と、前記回収樋構造(20)を構成する一の樋部材(21)の端部と隣接する樋部材(21)の端部の高さ位置を合わせ、複数の樋部材(21)を連続させて形成した、複数台の遊技機から排出される遊技球を回収可能な単一の回収路(3)と、前記回収路(3)により回収された遊技球を貯留して前記補給路(2)に移送する単一の揚送機構(揚送研磨部5)と、を少なくとも備えていることを特徴とする。
【００１０】
本発明に係る遊技球循環システムを島設備(1)に用いた場合には、補給樋構造(10)や回収樋構造(20)を遊技機１台分に分割でき、かつ補給樋構造(10)や回収樋構造(20)の高さ調節が可能であることから、島設備(1)に設置する遊技機(100)の台数を容易に増減することができる。
【発明の効果】
【００１１】
本発明は、以上のように構成されているので、遊技機設置スペースを独立した島構造としつつ、従来方式の補給・回収装置が利用可能であり、遊技球循環システムを構築する際の価格上昇を押さえることができる。
【図面の簡単な説明】
【００１２】
【図１】本発明の実施の形態であって、遊技機用島設備の概略正面図である。
【図２】遊技機用島設備のうちの補給樋構造を示す正面図である。
【図３】補給樋構造の分解斜視図である。
【図４】遊技機用島設備のうちの回収樋構造を示す正面図である。
【図５】回収樋構造の分解斜視図である。
【発明を実施するための形態】
【００１３】
本発明の好適な実施の形態を、図面に基づき説明する。なお、本明細書において、各構成部材を説明する際の、正面、背面、上下左右及び前後の方向は、各構成部材を島設備１に設置した状態で島設備１を正面視した場合の面及び方向を指すものである。
（島設備１）
島設備１は、図１に示すように、仕切枠30によって仕切られた複数の設置スペースＡ〜Ｇのそれぞれに、遊技機100と台間サンド200が配置されているものである。遊技機100は、パチンコ機であって、台間サンド200は球貸機とカードリーダーである。台間サンド200に紙幣又はＩＣカードを投入すると、球貸機から遊技機100の球皿に遊技球が貸し出される。遊技機100のハンドルを回すことにより球皿の遊技球が遊技盤の遊技領域に打ち出され、遊技盤を流下する遊技球が所定の入賞口に入球すると賞球が払い出される。払い出された賞球は各遊技機100ごとに設けられた計数機（図示せず）を通過し、賞球数がＩＣカードなどの記録媒体に記憶されるとともに、計数された遊技球は遊技機100の下方に排出される。また、遊技盤を流下した遊技球のうちいずれの入賞口へも入球しなかったアウト球も、遊技機100の下方に排出される。また、図示しないが、遊技機100の上部には遊技球を貯留しておくための球タンクが設けられており、台間サンド200の内部には上部から遊技球を受け入れて貯留するとともに球貸機から払い出し可能なホッパー装置が設けられている。
【００１４】
一方、各設置スペースＡ〜Ｇの上方には、補給シュート12を介して遊技機100及び台間サンド200に遊技球を供給するための上部補給路２が設けられ、各設置スペースＡ〜Ｇの下方には、遊技機100から排出される遊技球を受けて、島設備１の一方の端部側（設置スペースＡ側）下方に設けられた貯留部６に移送するための下部回収路３が設けられている。設置スペースＡの側方には、貯留部６に貯留された遊技球を上部補給路２に揚送しつつ遊技球の表面に付着した汚れを落とすための揚送研磨部５が設けられている。そして、島設備１の他方の端部側（設置スペースＧ側）には、上部補給路２と、下部回収路３を繋ぐ側方回収路４が設けられている。そして、上部補給路２、下部回収路３、側方回収路４及び揚送研磨部５により、遊技球の循環システムが構築されている。
【００１５】
上部補給路２は、揚送研磨部５側から側方回収路４側に向かって下り傾斜して形成され、下部回収路３は、下部回収路３から貯留部７に向かって下り傾斜して形成されている。そして、本実施の形態においては、上部補給路２は各設置スペースＡ〜Ｇごとに分割された複数の補給樋構造10を連結して構成されており、下部回収路３も同様に、各設置スペースＡ〜Ｇごとに分割された複数の回収樋構造20を連結して構成されている。以下、設置スペースＡに設けられた補給樋構造10及び回収樋構造20を例に、これらの詳細を説明する。
（補給樋構造10）
補給樋構造10は、図２及び図３に示すように、大きく分けて、補給樋11と、高さ調節機構18とから構成されている。
【００１６】
補給樋11は、正面側及び背面側の端部に立設片を有する薄板からなる樋部材であり、立設片の間を右側から左側に遊技球が転送される。補給樋11の正面側の立設片には２つの補給シュート12が取り付けられている。右側に位置するのが遊技機100に遊技球を供給するための遊技機用補給シュート12Aであり、左側に位置するのが台間サンド200に遊技球を供給するためのサンド用補給シュート12Bである。各補給シュート12は、補給樋11の立設片に形成された開口部11Aから遊技球を取り込んで、底部に設けられたダクト13から下方に遊技球を排出するようになっている。また、補給樋11の底面には、下方に開口する正面視略半円形の切り欠き14Aを有する係止片14が、左右の側端部にそれぞれ前後方向に並列して２つずつ設けられている。
【００１７】
高さ調節機構18は、２対の支持枠15,16と、２本の支持棒17とからなる。支持枠15,16は、それぞれ、図３に示すように、板面が正面側となる前板部15A,16Aと、前板部15A,16Aの縦方向の端部から直角に屈曲され板面が側面側となる側板部15B,16Bとを有する縦長のアングル材である。各支持枠15,16の前板部15A,16Aには、複数の孔15a,16aが縦方向に並んで等間隔に形成されているとともに、手前側に位置する支持枠15,16の板面15A,16Aには、孔15a,16aの近傍（図示した例では下側）に、各孔15a,16aに対応する番号表示15b,16bが付されている。具体的には、上側の孔15a,16aから順に、「１」〜「７」の数字が付されている。また、側板部15B,16Bには、支持枠15,16を仕切枠30にネジ等で固定するためのネジ孔が設けられている。
【００１８】
支持棒17は、孔15a,16aに挿入可能な丸棒であり、前後に配置される２つの支持枠15,15の孔15a,15aと、前後に配置される２つの支持枠16,16の孔16a,16aのそれぞれに、手前側から挿入することにより、横方向に並んで平行に配置される。そして、平行に配置された２本の支持棒17に、前記補給樋11の係止片14の切り欠き14Aを上側から係止させることにより、補給樋11が２本の支持棒17に掛け渡された状態で保持されるようになっている。すなわち、孔15a,16a及び支持棒17は、補給樋11を支持する支持部として機能する。
上記構成を有する補給樋構造10の島設備１への設置について、図２に基づき説明する。なお、図２においては、支持棒17の記載を省略している。まず、設置スペースＡにおいて、右側の仕切枠30に、１対の支持枠15を固定する。支持枠15の高さ方向の設置位置は、番号１番の孔15aに支持棒17を挿入してその上に補給樋11を設置した場合に、隣接する揚送研磨部４の球送出口（図示せず）から送出される遊技球を受け入れ可能な高さに設定する。また、正面視したとき各支持枠15の同じ番号の孔15aの高さが合致するように、２つの支持枠15を前後方向に並べて固定する。
【００１９】
左側の仕切枠30には、１対の支持枠16を固定する。支持枠16の高さ方向の設置位置は、支持枠15の番号１番の孔15aに支持棒17を挿入し、番号１番の孔16aに支持棒17を挿入して、その上に補給樋11を掛け渡したときに、補給樋11が所定角度、左側に下り傾斜するような高さに設定する。支持枠15,16を固定したら、各支持枠15,16の番号１番の孔15a,16aに支持棒17を挿入し、端部をナットなどで固定する。しかる後、２本の支持棒17に係止片14の切り欠き14Aを嵌め合わせて、補給樋11を掛け渡す。
次に、設置スペースＢにおいて、上記と同様にして、右側の仕切枠30に支持枠15を固定するとともに、左側の仕切枠30に支持枠16を固定する。ここにおいて、支持枠15,16の高さ方向の設置位置は、設置スペースＡと同じである（図２参照）。そして、支持枠15,16を固定したら、各支持枠15,16の番号２番の孔15a,16aに支持棒17を挿入し、端部をナットなどで固定する。しかる後、２本の支持棒17に係止片14の切り欠き14Aを嵌め合わせて、補給樋11を掛け渡す。このようにして補給樋11を設置した場合、図２に示すように、補給樋11の右側端部が、隣接する設置スペースＡの補給樋11の左側端部よりも高くならないように、各支持枠15,16の固定高さや孔15a,16aの配置を設計しておく。隣接する補給樋11の端部どうしは、補給樋11の上面が面一となるように高さを一致させるのが最適であるが、この高さ位置は厳密に一致していなくてもよい。上流側（図面では右側）に位置する補給樋11の下流側端部が、下流側に位置する補給樋11の上流側端部よりも上側となり、遊技球が支障なく流下可能であれば、多少の段差があっても構わない。
【００２０】
以上の工程を、支持棒17を挿入する孔15a,16aを１つずつ下方にずらしながら順次行い、最後に設置スペースＧに補給樋構造10を設置すると、図１に示すように、複数の補給樋構造10が連続して全体として左下がりに傾斜した上部補給路２が完成する。本実施の形態では、支持枠15,16の設置高さを設置スペースＡ〜Ｇごとに変えなくても、支持棒17を差し込む孔15a,16aを変えるだけで補給樋11が所定の傾斜角度で支持されるため、作業を容易に行うことができる。
なお、図示していないが、上部補給路２の正面側には幕板が設置され、補給樋構造10が覆われる。
【００２１】
ここで、支持枠15,16に設けられている孔15a,16aの数は、設置スペースＡ〜Ｇの数と一致しているが、島設備１に設置される遊技機の台数を減らしても（台数の少ない島設備用としても）、そのまま使用できる。孔15a,16aの数は、設置スペース数より多く形成されていてもよい。この場合には、島設備１に設置される遊技機の台数を増やすことが可能となる（台数の多い島設備用としても使用できる）。なお、孔15a,16aの数が設置スペース数より少なくても、増加分の支持枠15,16の設置高さを孔15a,16aのピッチだけずらして固定すれば、島設備１に設置される遊技機の台数を増やしてもそのまま使用できる。設置する遊技機の台数を増減させる場合には、揚送研磨部５や貯留部６の設置高さや、側方回収路４の高さを調節する。
【００２２】
（回収樋構造20）
回収樋構造20は、図４及び図５に示すように、大きく分けて、底板21と、高さ調節機構25とから構成されている。
底板21は、図５に示すように、正面側及び背面側の端部に垂下片21Aを有する薄板からなる樋部材である。各垂下片21Aには、下方に開口する正面視略半円形の切り欠き22が、左右の側端部にそれぞれ前後方向に並列して２つずつ設けられている。
高さ調節機構25は、１対の支持板23と２本の支持棒24とからなる。支持板23は、板面23Aを正面側にして配置されるものであり、各支持板23には、板面23Aの下端部から直角に屈曲して形成された屈曲片23Bが設けられている。また、各支持板23の板面23Aの左右の端部側には、複数の孔23aが縦方向に並んで等間隔に形成されているとともに、手前側に位置する支持板23の板面23Aには、孔23aの近傍（図示した例では下側）に、各孔23aに対応する番号表示23bが付されている。具体的には、上側の孔23aから順に、「７」〜「１」の数字が付されている。また、屈曲片23Bには、支持板23を島設備１の床面又は仕切枠30の下枠にネジ等で固定するためのネジ孔が設けられている。
【００２３】
支持棒24は、孔23aに挿入可能な丸棒であり、前後に配置される支持板23の左右両側の孔23a,23aと、前後に配置される支持板23の左右両側の孔23a,23aのそれぞれに、手前側から挿入することにより、横方向に並んで平行に配置される。そして、平行に配置された２本の支持棒24に、前記底板21の垂下片21Aの切り欠き22を上側から係止させることにより、底板21が２本の支持棒24に掛け渡された状態で保持される。すなわち、孔23a及び支持棒24は、底板21を支持する支持部として機能する。そして、２つの支持板23の間に挟まれた底板21の上面を、左側から右側に遊技球が転送されるようになっている。
上記構成を有する回収樋構造20の島設備１への設置について、図４に基づき説明する。なお、図４においては、支持棒24の記載を省略している。まず、設置スペースＡにおいて、左右の仕切枠30の間に、支持板23を固定する。ここで、支持板23の右側の番号１番の孔23a（最も下側の孔23a）の高さ位置（図４に示すＨ１）は、番号１番の孔23aに支持棒24を挿入してその上に底板21を設置した場合に、隣接する貯留部６の球受け入れ口（図示せず）に遊技球を送出可能な高さとなっている。一方、支持板23の左側の番号１番の孔23aの高さ方向の高さ位置（図４に示すＨ２）は、右側の番号１番の孔23aの高さ位置よりも高くなるよう形成されている。すなわち、支持板23の右側の番号１番の孔23aに支持棒24を挿入し、支持板23の左側の番号１番の孔23aに支持棒24を挿入して、その上に底板21を掛け渡したときに、底板21が所定角度、右側に下り傾斜するような高さに設定されている。また、各支持枠23は、正面視したとき各支持枠23の同じ番号の孔23aの高さが合致するように、前後方向に並べて固定される。
【００２４】
支持板23を固定したら、前後の支持板23の番号１番の左右の孔23aにそれぞれ支持棒24を挿入し、端部をナットなどで固定する。しかる後、２本の支持棒24に切り欠き22を嵌め合わせて、底板21を掛け渡す。
次に、設置スペースＢにおいて、上記と同様にして、２枚の支持板23を固定するとともに、各支持板23の左右の番号２番の孔23aに支持棒24をそれぞれ挿入し、端部をナットなどで固定する。しかる後、２本の支持棒24に切り欠き22を嵌め合わせて、底板21を掛け渡す。このようにして底板21を設置した場合、図４に示すように、底板21の右側端部が、隣接する設置スペースＡの底板21の左側端部と同じ高さかそれよりも低くならないように、孔23aの形成位置を設計しておく。隣接する底板21の端部どうしは、底板21の上面が面一となるように高さを一致させるのが最適であるが、この高さ位置は厳密に一致していなくてもよい。上流側（図面では左側）に位置する底板21の下流側端部が、下流側に位置する底板21の上流側端部よりも上側となり、遊技球が支障なく流下可能であれば、多少の段差があっても構わない。
【００２５】
以上の工程を、支持棒24を挿入する孔23aを１つずつ上方にずらしながら順次行い、最後に設置スペースＧに回収樋構造20を設置すると、図１に示すように、複数の回収樋構造20が連続して全体として右下がりに傾斜した下部回収路３が完成する。本実施の形態では、支持板23を島設備１の底部に固定し、支持棒17を差し込む孔15a,16aを変えるだけで補給樋11が所定の傾斜角度で支持されるため、作業を容易に行うことができる。
ここで、支持板23に設けられている孔23aの数は、設置スペースＡ〜Ｇの数と一致しているが、補給樋構造10の支持枠15,16の孔15a,16aと同様に、設置スペースの数よりも多く形成されていてもよい。
【００２６】
（島設備１における遊技球循環）
以上のように形成された島設備１における遊技球の循環について、図１に基づき説明する。初期状態において、貯留部６に遊技球を投入すると、遊技球は揚送研磨部４によって研磨されつつ矢印ζ方向に揚送される。そして、矢印ηの方向から矢印αに示すように上部補給路２に流入する。側方回収路４の上部に設けられたシャッターを閉じておくことにより、流入した遊技球は各遊技機設置スペースＡ〜Ｇの補給樋構造10（補給樋11）に充填される。
球貸機からの貸し出しや入賞による賞球放出により台間サンド200のホッパー装置や遊技機100の球タンク内の遊技球が減少すると、矢印βに示すように補給シュート12から台間サンド200、遊技機100に遊技球が補給されていく。補給により上部補給路２の最上流部に位置する補給樋11の遊技球が途切れると、揚送研磨部４が作動して貯留部６の遊技球を揚送補給する。
【００２７】
また、計数機を通過した賞球や遊技機100から排出されるアウト球は、矢印γに示すように下部回収路３に落下し、矢印δに示すように流下して貯留部６に貯留される。
そして、島設備１内を循環している遊技球を全部回収する場合には、側方回収路４のシャッターを開くことにより、上部補給路２に滞留している遊技球が側方回収路４を経て下部回収路３に落下し、貯留部６に移送される。
（総括）
このように、本実施の形態によれば、遊技機一台分の設置スペース毎に分割して形成された補給樋構造10を連続させて上部補給路２を形成し、同様に回収樋構造20を連続させて下部回収路３を形成してある。換言すれば、遊技機100と、台間サンド200と、補給樋構造10及び回収樋構造20をワンセットにして、従来の島設備で用いられていた揚送機構をそのまま利用することにより、単独島が連続した全体島設備を形成することができるものである。したがって、遊技機ごとに揚送機構を設けるよりもはるかに低コストで島設備１の提供が可能である。また、島設備１の規模や配置を変更する場合でも、それぞれ独立している上記したワンセットを増減したり配置変えをすればよいため、改修工事を容易に行うことができる。
【００２８】
なお、上記した実施の形態では、補給樋構造10を、樋部材としての補給樋11と支持枠15,16とから構成し、回収樋構造20を、樋部材としての底板21と支持板23とから構成していたが、補給樋構造10を樋部材と支持板とから構成し、回収樋構造20を樋部材と支持枠とから構成してもよい。
また、高さ調節機構は、上記したような、孔に棒を差し込むようにしたものに限られず、樋部材に設けた突起を、支持枠又は支持板に設けた高さ位置の異なる複数の突起や孔やスリットと係合させることにより、樋部材の高さを調節可能なものであってもよい。支持部は樋部材の両端を支持するものに限られず、例えば枠部材の中央部に設けた横長の張り出し片を支持板の中央部に設けた斜めのスリットに嵌め込んで樋部材を傾斜させた状態で保持するように形成してもよい。
【符号の説明】
【００２９】
１  島設備                          ２  上部補給路
３  下部回収路                      ４  揚送研磨部
５  側方回収路                      ６  貯留部
10  補給樋構造                      11  補給樋（樋部材）
12  補給シュート                   12A  遊技機用補給シュート
12B  サンド用補給シュート            13  ダクト
14  係止片                         14A  切り欠き
15  支持枠                         15a  孔（支持部）
16  支持枠                         16a  孔（支持部）
17  支持棒（支持部）                18  高さ調節機構
20  回収樋構造                      21  底板（樋部材）
22  切り欠き                        23  支持板
23a  孔（支持部）                    24  支持棒（支持部）
25  高さ調節機構                    30  仕切枠
100  遊技機                         200  台間サンド
Ａ〜Ｇ  設置スペース
【図１】
2013180159.tif 000003
【図２】
2013180159.tif 000004
【図３】
2013180159.tif 000005
【図４】
2013180159.tif 000006
【図５】
2013180159.tif 000007